(57)【要約】【課題】磁気センサの検出結果に基づき異常を検出する磁気監視制御の下、励磁制御により動作する電動役物から発する磁力に起因した、異常検出の発生を防止する。【解決手段】アタッカーソレノイド１４８又は電チューソレノイド１３８の動作により発生する磁力を、磁気センサ２０２Ａ、２０２Ｂ、２０２Ｃで検出しても、不正監視制御部２０４の上流側に配置した、磁気検出信号管理回路部２０５における、第１の回路と第２の回路との連携に基づき、検出信号の流れを迂回させ、異常と判断しないようにしたため、電動役物（アタッカー１１２、特別図柄始動入賞口（Ｂ）１３４等）と磁気センサ２０２Ａ、２０２Ｂ、２０２Ｃとの相対位置関係を考慮せずに配置可能であり、設計の自由度を増すことができる。【選択図】図７
2014057741.tif 000002
【特許請求の範囲】
【請求項１】
通電制御による励磁又は非励磁の状態を利用して、遊技盤面に設けられた可動部を少なくとも２位置に移動させる複数の駆動部と、
前記遊技盤の盤面の磁力を検出するために設けられた複数の磁気センサと、
前記磁気センサからの磁力の検出信号を入力源とし、予め定められた強度を超える磁力に対して異常信号を出力することで、磁力の発生状態を監視する監視手段と、
前記監視手段において、前記磁気センサで予め定められた強度を超える磁力を検出した場合に、当該磁気センサに対して通電制御による前記励磁の影響を受ける範囲外にある駆動部を含む全ての駆動部の何れかが駆動中か否かを判定する判定手段と、
前記判定手段で、前記駆動部の駆動中であると判定された場合に、前記異常信号の出力をキャンセルする異常信号キャンセル手段と、
前記監視手段から出力される異常信号を受けて、異常な磁力の発生を報知する報知手段と、
を有する遊技機。
【請求項２】
前記駆動部が複数存在し、前記異常信号キャンセル手段が、当該複数の駆動部の何れかが駆動中であると判定された場合に、全ての磁気センサに基づく、異常信号の出力をキャンセルすることを特徴とする請求項１記載の遊技機。
【請求項３】
前記駆動部が複数存在し、かつ前記磁気センサが複数存在し、前記駆動部と前記磁気センサの相対位置関係に基づいて、前記駆動部毎に磁気センサに影響を及ぼすパターンを特定し、当該パターンに基づいて、駆動部の駆動により異常信号の出力をキャンセルする磁気センサを選択することを特徴とする請求項１記載の遊技機。
【請求項４】
通電制御による励磁又は非励磁の状態を利用して、遊技盤面に設けられた可動部を少なくとも２位置に移動させる複数の駆動部と、
前記遊技盤の盤面の磁力を検出するために設けられた複数の磁気センサと、
前記磁気センサからの磁力の検出信号を入力源とし、予め定められた強度を超える磁力に対して異常信号を出力することで、磁力の発生状態を監視する監視手段と、
前記監視手段から出力される異常信号を受けて、異常な磁力の発生を報知する報知手段と、
前記複数の駆動部を別々に通電する第１の回路群と、
前記磁気センサで検出した検出信号を監視手段の入力源とするために送信する第２の回路群と、
前記第１の回路群の何れか１つが通電中の場合に、前記第２の回路群の全てにおいて前記監視手段への送出機能を無効とするように、前記第１の回路と前記第２の回路とを相互に関連付けて配線する第３の回路と、
を有する遊技機。
【発明の詳細な説明】
【技術分野】
【０００１】
本発明は、磁気センサを備えた遊技機に関するものである。
【背景技術】
【０００２】
従来、遊技機、例えば、パチンコ機やパチスロ機においては、回路基板上に取り付けられた集積回路（マイクロコンピュータを含む）に、予め定められた遊技仕様プログラムが記憶されると共に、遊技機に備えられたＬＣＤ等の画像表示部、ＬＥＤ等の電飾部材、電動役物等の可動部材が当該遊技仕様プログラムに基づき、遊技の進行によって動作制御されるようになっている。
【０００３】
電動役物には、その動作のための駆動源として、モータやソレノイドが適用されている。モータやソレノイドは、駆動の際に磁力が発生する。特にソレノイドは、励磁力によりアクチュエータを動作させる機構であり、例えば、２位置間を短いストロークで移動させることができ、パチンコ機では、電動チューリップや大入賞口（アタッカー）等の役物装置の開閉動作や、は、演出用の可動部の動作の駆動源に適用される。また、モータは、永久磁石が適用されると共に、電流を流すことで磁力が発生するため、少なからず、周囲に磁力の影響を及ぼしている。
【０００４】
ところで、遊技盤面側のガラス越しに、磁石等を用いて磁力で遊技球を誘導する不正行為がある。例えば、大当たりしたときに実行されるアタッカーの開閉動作中に、アタッカーの上部に遊技球を磁力で滞留させ、一気にアタッカーへ入賞させ、本来の入賞球制限数をはるかに超える入賞によって、不正に賞球を受けるような不正行為が存在する。
【０００５】
このため、遊技盤の適宜箇所に、磁気センサを取り付け、磁気監視制御を実行している。磁気監視制御では、磁気センサによって磁力を検出すると、遊技仕様プログラムを中断したり、警報を鳴らしたりして不正対策を行う。この磁気監視制御により、磁石等を用いた磁力による不正行為を未然に防止することができる。
【０００６】
一方、遊技盤には、前記電動役物の駆動源として、励磁力でアクチュエータを動作させるソレノイドが適用されている。このソレノイドの励磁動作を感知して、不正対策が実行されることは、前記磁気監視制御の意に反することになる。
【０００７】
このため、磁気センサの検出領域（感知範囲）を避けて、ソレノイドを配置することが提案されている（特許文献１参照）。
【先行技術文献】
【特許文献】
【０００８】
【特許文献１】特開２００９−０６６３４２号公報
【発明の概要】
【発明が解決しようとする課題】
【０００９】
しかしながら、上記特許文献１のように、磁気センサ（すなわち、検出領域）と、ソレノイドとの相対位置関係を考慮して、それぞれの取付位置を選定しなければならず、大幅に構造上の制約を受けることになる。
【００１０】
特に、磁気センサの検出領域は、磁気センサ自身の経時的性能変化、或いは周辺金属部品等との位置関係により、取り付け初期の磁気センサの単体での設計上の検出領域に対して変動する場合がある。
【００１１】
このような変動があった場合に、既に固定的に取り付けられた磁気センサやソレノイドの取付位置変更ができず、磁気センサの検出精度を低下させなければならず、不正行為対策に支障をきたすことになる。
【００１２】
さらに、磁気センサの検出精度を低下させる要因として、動作を伴う電動役物の演出の多様化が考えられる。この電動役物において、当該電動役物を動作させるためのソレノイドを遊技盤の裏面側に設置するにあたり、取付スペースの制限上、ソレノイドが磁気センサの検出範囲に進出せざるを得ない場合がある。
【００１３】
本発明は上記事実を考慮し、磁気センサの検出結果に基づき異常を検出する磁気監視制御の下、励磁制御により動作する電動役物等の駆動部から発する磁力に起因した、異常検出の発生を防止することができる遊技機を得ることが目的である。
【課題を解決するための手段】
【００１４】
第１の発明は、通電制御による励磁又は非励磁の状態を利用して、遊技盤面に設けられた可動部を少なくとも２位置に移動させる複数の駆動部と、前記遊技盤の盤面の磁力を検出するために設けられた複数の磁気センサと、前記磁気センサからの磁力の検出信号を入力源とし、予め定められた強度を超える磁力に対して異常信号を出力することで、磁力の発生状態を監視する監視手段と、前記監視手段において、前記磁気センサで予め定められた強度を超える磁力を検出した場合に、当該磁気センサに対して通電制御による前記励磁の影響を受ける範囲外にある駆動部を含む全ての駆動部の何れかが駆動中か否かを判定する判定手段と、前記判定手段で、前記駆動部の駆動中であると判定された場合に、前記異常信号の出力をキャンセルする異常信号キャンセル手段と、前記監視手段から出力される異常信号を受けて、異常な磁力の発生を報知する報知手段と、を有している。
【００１５】
第１の発明によれば、駆動部は、遊技盤面に設けられた可動部を通電制御による励磁又は非励磁の状態を利用して、少なくとも２位置に移動させる。
【００１６】
磁気センサは、遊技盤の盤面の磁力を検出するために複数設けられている。監視手段は、磁気センサからの磁力の検出信号を入力源とし、予め定められた強度を超える磁力に対して異常信号を出力することで、磁力の発生状態を監視する。
【００１７】
判定手段では、監視手段において、磁気センサで予め定められた強度を超える磁力を検出した場合に、当該磁気センサに対して通電制御による前記励磁の影響を受ける範囲外にある駆動部を含む全ての駆動部の何れかが駆動中か否かを判定し、異常信号キャンセル手段では、判定手段で、駆動部の駆動中であると判定された場合に、異常信号の出力をキャンセルする。
【００１８】
このため、第１の発明では、不正行為を誤検知することが防止できる。
【００１９】
第１の発明において前記駆動部が複数存在し、前記異常信号キャンセル手段が、当該複数の駆動部の何れかが駆動中であると判定された場合に、全ての磁気センサに基づく、異常信号の出力をキャンセルすることを特徴している。
【００２０】
誤検知防止のために、駆動部と磁気センサとの相対位置関係を考慮する必要がない。
【００２１】
第１の発明において、前記駆動部が複数存在し、かつ前記磁気センサが複数存在し、前記駆動部と前記磁気センサの相対位置関係に基づいて、前記駆動部毎に磁気センサに影響を及ぼすパターンを特定し、当該パターンに基づいて、駆動部の駆動により異常信号の出力をキャンセルする磁気センサを選択することを特徴としている。
【００２２】
誤検知防止のための異常信号の出力キャンセル頻度を軽減することができる。
【００２３】
第２の発明は、通電制御による励磁又は非励磁の状態を利用して、遊技盤面に設けられた可動部を少なくとも２位置に移動させる複数の駆動部と、前記遊技盤の盤面の磁力を検出するために設けられた複数の磁気センサと、前記磁気センサからの磁力の検出信号を入力源とし、予め定められた強度を超える磁力に対して異常信号を出力することで、磁力の発生状態を監視する監視手段と、前記監視手段から出力される異常信号を受けて、異常な磁力の発生を報知する報知手段と、前記複数の駆動部を別々に通電する第１の回路群と、前記磁気センサで検出した検出信号を監視手段の入力源とするために送信する第２の回路群と、前記第１の回路群の何れか１つが通電中の場合に、前記第２の回路群の全てにおいて前記監視手段への送出機能を無効とするように、前記第１の回路と前記第２の回路とを相互に関連付けて配線する第３の回路と、を有している。
【００２４】
第２の発明によれば、第１の回路群は、駆動部を通電する配線が施されている。第２の回路群は、磁気センサで検出した検出信号を監視手段の入力源とするために送信する配線が施されている。
【００２５】
通常第１の回路群と第２の回路群とは関連性はなく、独立して設けられている。これに対して、第２の発明では、第３の回路として、第１の回路群の何れか１つが通電中の場合に、第２の回路群の全てにおいて監視手段への送出機能を無効とするように、第１の回路群と前記第２の回路群とを相互に関連付けて配線した。このため、駆動部の駆動中は磁気センサの検出信号が入力源に至らず、不正以外の異常信号の出力を未然に回避することができる。
【発明の効果】
【００２６】
以上説明した如く本発明では、磁気センサの検出結果に基づき異常を検出する磁気監視制御の下、励磁制御により動作する駆動部から発する磁力に起因した、異常検出の発生を防止することができるという優れた効果を有する。
【図面の簡単な説明】
【００２７】
【図１】本実施の形態に係るパチンコ機の正面図である。
【図２】本実施の形態に係る遊技盤の正面図である。
【図３】本実施の形態に係る制御系のハード構成を示すブロック図である。
【図４】（Ａ）はアタッカーが設けられた電動役物の正面図、（Ｂ）は図４（Ａ）のＩＶＢ−ＩＶＢ線断面図である。
【図５】アタッカーが設けられた電動役物を背面から見た斜視図である。
【図６】本実施の形態に係る不正監視制御部の機能ブロック図である。
【図７】本実施の形態に係る磁気検出信号管理回路部の詳細を示す回路構成図である。
【図８】本実施の形態に係る不正監視制御の流れを示すフローチャートである。
【図９】変形例に係り、磁気センサと駆動源との組み合わせの種類を示すパターン図である。
【発明を実施するための形態】
【００２８】
（パチンコ機の構成）
図１に示されるように、パチンコ機１０の前面下部には、化粧パネルとなる下飾り１２が取り付けられている。
【００２９】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３０】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００３１】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００３２】
上皿部２８の周縁壁部３２における図１の右端部には、球貸ボタン４２と、返却ボタン４４が設けられている。
【００３３】
また、一体皿２４の右側下部には打球の発射力（飛距離）を調整するためのグリップユニット（発射ハンドル）２６が取り付けられ、左側下部には、灰皿４６が取り付けられている。
【００３４】
一体皿２４における下皿部３０の図１の右側には受け皿スピーカ６０Ｕが配置されている。
【００３５】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３６】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００３７】
この結果、上演出部５２と下演出部５４とで、遊技盤１８の周囲を取り囲むように、演出部５６が形成されている。
【００３８】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００３９】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっているが、単色に点灯するものであってもよい。或いは、レンズ部５８を予め着色してもよい。
【００４０】
ガラス枠の上部角部には、それぞれ三連表示６２が設けられ、遊技状態の報知（エラー報知等を含む）に適用される。
【００４１】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００４２】
なお、以下では、前述した受け皿スピーカ６０Ｕと、このガラス枠スピーカ６０Ｃ、６０Ｌ、６０Ｒを総称して、「スピーカ６０」という。
【００４３】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。なお、ベニヤ板に代えて透明アクリル板等が用いられる場合もある。これらの外レール１０２及び内レール１０４によって囲まれた円形状の領域は、発射装置１６５（図３参照）から発射されて打ち込まれた遊技球ＰＢが自重落下により移動可能とされ、この領域が遊技を行う遊技領域とされている。
【００４４】
遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、機械的に動作する可動役物装置１０５Ａ、１０５Ｂと、各種演出等の映像を表示する表示部１０６を備えている。可動役物装置１０５Ａ、１０５Ｂは、詳細な説明は省略するが、後述する特別図柄抽選の結果に基づいて、遊技者に当選の期待感を持たせるための動作として、表示部１０６の前面にせり出したり、表示部１０６の表示面を広狭したり等の動作演出が実行されるようになっている。一方、表示部１０６は、ＬＣＤ表示、ＬＥＤ表示等が適用可能であるが、特に表示形態に限定されるものではない。
【００４５】
表示部１０６では、例えば、特別図柄抽選の結果を報知するための図柄変動パターン演出が実行される。一例としては、３列の図柄列を個別に変動させ、その内の２列の図柄列が変動を停止したときの図柄が同一図柄となった場合を「リーチ」として遊技者に期待感を持たせる演出を実行し、最終列が停止して、既に停止している２列の図柄と同一図柄となった場合は当選、異なる図柄となった場合は落選を報知する。
【００４６】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００４７】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００４８】
図２に示される如く、センター役物１０５の下部には、特別図柄始動入賞口（Ａ）１３０が配置されている。特別図柄始動入賞口（Ａ）１３０は常時入賞可能に上部が開口している。
【００４９】
また、遊技盤１８の遊技領域の最下位置には、外れ球を遊技盤１８の裏側へ排出するアウト口１２４が設けられている。
【００５０】
一方、図２に示される如く、センター役物１０５の図２に向かって右側には、普通図柄抽選の始動機能を持つ通過ゲート１１８が配置されている。
【００５１】
この通過ゲート１１８の下方には、特別図柄始動入賞口（Ｂ）１３４が配置されている。特別図柄始動入賞口（Ｂ）１３４の上部開口は、釘１９によって通常は閉塞されている。
【００５２】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００５３】
電動チューリップ１３６は、前記普通図柄抽選に当選したときに開放するようになっている。電動チューリップ１３６が開放状態になると、特別図柄始動入賞口（Ｂ）１３４の入賞開口部へのパチンコ球ＰＢの受け入れが可能となり、パチンコ球ＰＢの入賞が可能となる。
【００５４】
前記特別図柄始動入賞口（Ｂ）１３４のさらに下部には、遊技領域の下端部付近に位置して特別図柄抽選の大当たり専用のアタッカー１１２が配置されている。
【００５５】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００５６】
ここで、特別図柄始動入賞口（Ａ）１３０又は特別図柄始動入賞口（Ｂ）１３４に遊技球ＰＢが入賞すると、特別図柄抽選が実行される。
【００５７】
この特別図柄抽選において「大当たり」に当選すると、前記アタッカー１１２の開閉扉１１６が所定のパターンで開閉動作し、これを所定回数（所定ラウンド）繰り返すようになっている（「特別遊技」「大役処理」等と言う場合がある）。
【００５８】
なお、前記特別図柄抽選の抽選結果である当選（「大当たり」）は、主として表示部１０６の図柄変動表示演出において報知され、この図柄変動表示演出中、或いは、前記大役処理中の場合は、抽選結果の報知を待機（保留・記憶）し、順次報知していくようになっている。また、図柄変動表示演出と共に、動物などが擬人化されたキャラクタが表示され、特別図柄抽選で当選した旨を暗示させることにより、遊技者に期待感を持たせるといった、視覚的な演出をすることもあり、その場合は効果音によって聴覚からも遊技者の興趣を増大させる。
【００５９】
例えば、通常時がセンター役物１０５に向かって左側を狙って打つ遊技（所謂「左打ち状態」）であるのに対して、前記大役処理中は、前記アタッカー１１２に向けて、センター役物１０５に向かって右側を狙って打つ遊技（所謂「右打ち状態」）に変更する。
【００６０】
また、特定の遊技状態（例えば、大役処理後の一定期間の「右打ち状態」）で通過ゲート１１８を遊技球ＰＢが通過すると、普通図柄抽選が実行され、当該普通図柄抽選に当選すると、前記電動チューリップ１３６を開放する。前記特定の遊技状態では、電動チューリップの開放期間が長いため、特定の遊技状態以外の遊技状態に比べて、特別図柄始動入賞口（Ｂ）１３４に入賞する確率は増えることになる。
【００６１】
本実施の形態では、特定の遊技状態を「電動チューリップ１３６のサポート付の時短遊技状態」（「電サポ付時短」「電サポ付時短中」等と言う場合がある）とし、非電サポ付時短中のベースが２０であるのに対し、この電サポ付時短中のベースが１００となるように設定される。なお、ベースとは、発射球数に対する賞球払出数の割合であり、例えば、１００球の遊技球ＰＢが発射されて２０球の賞球払出があるときをベース２０といい、１００球の賞球払出があるときをベース１００という。
【００６２】
また、遊技盤１８には、センター役物１０５よりも下、かつ特別図柄始動入賞口（Ａ）１３０の左側（遊技盤１８の左下）には、複数の一般入賞口１２０（本実施の形態では、２個の一般入賞口１２０Ａ、１２０Ｂとする。）が設けられた役物装置１０７が配置されている。一般入賞口１２０は、２個に限られるものではなく、例えば、基本的なベースや入賞率等の設計上の演算によってその数を決めればよい。
【００６３】
なお、本実施の形態では、１個の特別図柄始動入賞口に対して最大４個（本実施の形態では、特別図柄始動入賞口（Ａ）１３０及び特別図柄始動入賞口（Ｂ）１３４の２個の特別図柄始動入賞口なので、８個となる。）の保留（遊技球の始動入賞に対する記憶）が可能となっている。なお、この保留球数は限定されるものではない。
【００６４】
保留球数は、主として特別図柄表示部を備えた遊技進行ガイドランプユニット１０９（図２に示すセンター役物１０５を正面視したときの右下に配置）の一部である特別図柄記憶表示部によって報知される。
【００６５】
また、センター役物１０５及び役物装置１０７との間の遊技盤１８の表面には、当該表面よりも奥側に埋め込まれるように、電飾装置１２２が配置されている。この電飾装置１２２の前面には、釘１９が打ち込まれている箇所があり、遊技球ＰＢが通過可能な流路上にあることがわかる。このため、遊技者は、遊技球ＰＢの動向を見る視線をずらさずに、当該電飾装置１２２の演出状態を視認可能となる。
【００６６】
（不正防止対策）
本実施の形態におけるパチンコ機１０では、パチンコ機１０を揺すったり、叩いたりすることで遊技球ＰＢの動向に変化をつけようとする不正行為、並びに、手に磁石を持ちガラス板１４（図１参照）に近づけることで、遊技球ＰＢの動向に変化をつけようとする不正行為の防止対策として、遊技盤１８の裏面側には、振動センサ２００及び複数個（本実施の形態では、３個）の磁気センサ２０２Ａ、２０２Ｂ、２０２Ｃを設けている。
【００６７】
振動センサ２００は、図２に示す遊技盤１８の正面に対して左上（すなわち、裏面側では右上となる）の角部に設けられている（矩形枠参照）。
【００６８】
振動センサ２００の位置は特に制限はなく、遊技盤１８の全体を対象として、最も振動が伝わり易い位置に取り付ければよい。なお、本実施の形態では、１個の振動センサ２００で遊技盤１８の全体の領域の振動を検出するようにしたが、複数個の振動センサ２００を配置してもよい。
【００６９】
一方、磁気センサ２０２Ａは、図２に示す遊技盤１８の正面に対して、特別図柄始動入賞口（Ａ）１３０の左上（すなわち、裏面側では特別図柄始動入賞口（Ａ）１３０が配置の右上となる）に配置されている。
【００７０】
磁気センサ２０２Ｂは、図２に示す遊技盤１８の正面に対して、特別図柄始動入賞口（Ｂ）１３４の上方、かつ通過ゲート１１８の配置位置近傍に配置されている。
【００７１】
磁気センサ２０２Ｃは、アタッカー１１２の右下（すなわち、裏面側ではアタッカー１１２の左下）にそれぞれに配置されている。
【００７２】
図２では、３個の磁気センサ２０２Ａ、２０２Ｂ、２０２Ｃを矩形枠で示し、かつ、磁力検出範囲Ａmagを円形の点線枠で示している。なお、詳細は後述するが、磁力検出範囲Ａmagは、実際には、球体のように三次元的な空間である。
【００７３】
ここで、磁気センサ２０２Ａ、２０２Ｂ、２０２Ｃのぞれぞれの磁力検出範囲Ａmag内には、前述したように、特別図柄始動入賞口（Ａ）１３０、特別図柄始動入賞口（Ｂ）１３４、アタッカー１１２が存在している。これらの共通点は、入賞口を備えた役物装置である。また、磁力によって可動部材（電動チューリップ１３４や開閉部材１１６等）を動作させる電動役物の場合もある。
【００７４】
この電動役物の場合、例えば、アタッカー１１２の開閉扉１１６が開放しているとき、磁石を手にもって近づけて、遊技球ＰＢを集中して滞留させ、一気に入賞させるといった不正行為があった場合、磁気センサ２０２Ｃによって、異常を知らせる強度の検出信号が出力されることになる。
【００７５】
或いは、逆にアタッカー１１２の開閉扉１１６が閉止しているときを狙って、予め回避扉１１６の上方で遊技球ＰＢを磁力で貯めておき、開閉扉１１６が開放した後に磁力を解除して、一気に入賞させる不正行為があった場合、磁気センサ２０２Ｃによって、異常を知らせる強度の検出信号が出力されることになる。
【００７６】
後述する主制御部１５０には、不正監視制御部２０４（図３参照）が設けられており、磁気センサ２０２Ａ、２０２Ｂ、２０２Ｃからの検出信号を入力源として受け付けて、予め定めたしきい値と比較し、検出信号がしきい値を超えている場合に、異常信号を出力することで、不正行為を監視するようにしている（詳細後述）。なお、不正監視制御部２０４では、前記振動センサ２００からの検出信号を受け付け、振動に関する不正の監視も行っている。
【００７７】
一方、役物装置、特に電動役物において、磁力を用いて可動部材を動作させるとき、それぞれが磁力検出範囲Ａmagとなる磁気センサ２０２Ａ、２０２Ｂ、２０２Ｃが異常を知らせる強度の検出信号を出力する場合がある。
【００７８】
例えば、前記アタッカー１１２において、開閉扉１１６が開放中は、アタッカーソレノイド１４８（図４、図５参照）が励磁されており、この励磁による磁力が磁気センサ２０２Ｃによって検出される場合がある。
【００７９】
また、前記特別図柄始動入賞口（Ｂ）１３４において、電動チューリップ１３６が開放中は、電チューソレノイド１３８（図４、図５参照）が励磁されており、この励磁による磁力が磁気センサ２０２Ｂによって検出される場合がある。
【００８０】
これを回避するため、磁力検出範囲Ａmagから逸脱した位置にアタッカーソレノイド１４８や電チューソレノイド１３８を配置すればよいが、構造上の制約が大きく、遊技盤１８への役物配置の自由度が失われることになる。
【００８１】
そこで、本実施の形態では、電動役物の磁力を発生する駆動源と、磁気センサ２０２Ａ、２０２Ｂ、２０２Ｃの磁力検出領域Ａmagとの相対位置関係を考慮する必要がなく、かつ、駆動源の動作による異常信号の誤出力を回避する不正監視制御部２０４を構築した。
【００８２】
以下、図４及び図５に基づいて、電動役物の一例として、磁気センサ２０２Ｃの磁力検出範囲Ａmag内に位置する、アタッカー１１２の詳細構造を説明する。
【００８３】
図４（Ａ）は、遊技盤１８の正面から見たアタッカー電動役物２０６の正面図であり、全体の外観を構成する合成樹脂製の装飾部材２０８は、その一部が円形の遊技領域の右下の円弧に沿って円弧状に形成されている。
【００８４】
装飾部材２０８には、横長矩形（長方形）の開口部２１０形成されている（図４（Ｂ）参照）。この開口部２１０は、遊技盤１８を落下してくる遊技球ＰＢの入賞口の１つであり、入賞によって賞球を受けるようになっている。
【００８５】
開口部２１０の下辺部には、図示しない蝶番を介して、開閉扉１１６の下辺が連結されている。このため開閉扉１１６は、当該下辺を中心に開口部２１０を閉止する位置、並びに開口部２１０を開放し、かつ落下してくる遊技球ＰＢを開口部２１０へ案内する受け部材として機能する。
【００８６】
図５に示される如く、開口部２１０の裏面側には、入賞した遊技球ＰＢを案内すると共に、前記開閉扉１１６の開閉動作を担うアタッカーソレノイド１４８を支持するブラケット２１２が設けられている。アタッカーソレノイド１４８には、励磁／非励磁によって伸縮するアクチュエータ１４８Ａ（図４（Ａ）参照）が設けられ、当該アクチュエータ１４８Ａと前記開閉扉１１６とが図示しないリンク機構を介して連結されている。
【００８７】
このため、開閉扉１１６は、アタッカーソレノイド１１２の励磁／非励磁によって開閉動作が実行される。
【００８８】
前記ブラケット２１２には、検出面が遊技盤１８の裏面に対向するように、磁気センサ２０２Ｃが取り付けられている。磁気センサ２０２Ｃの検出範囲Ａmagは、図２に示される如く、遊技盤１８の正面からみると円形である。しかし、実際には、図４（Ｂ）に示される如く、磁気センサ２０２Ｃの検出面の前後に略球体状の検出範囲Ａmagが形成されている。
【００８９】
検出範囲Ａmagは、遊技盤１８の前面における不正行為が実行される可能性のある領域を十分に確保している。また、一方で、検出範囲Ａmagは、前記アタッカーソレノイド１４８の取り付け領域を含んでいる。このため、アタッカーソレノイド１４８が励磁されると、磁気センサ２０２Ｃは、しきい値を超える強度の検出信号を出力する。
【００９０】
なお、図示は省略したが、特別図柄始動入賞口（Ｂ）１３４においても、可動部である電動チューリップ１３６を動作させる電チューソレノイド１３８と磁気センサ２０２Ｂとは互いに接近しており、電チューソレノイド１３８は、磁気センサ２０２Ｂの磁力検出範囲Ａmagの領域内に位置している。
（制御系の構成）
次に、図３を用いてパチンコ機１０の制御系について説明する。
【００９１】
本実施形態に係るパチンコ機１０の制御系は、図３に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００９２】
主制御部１５０からは盤用外部端子１９０を介してホールコンピュータ（図示省略）へ遊技の進行状態を示す情報（始動入賞信号や大当たり信号、図柄確定回数信号等）が送信される。
【００９３】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、「大当たり」の際に開放するアタッカー１１２への入賞球を検出するアタッカーセンサ１１２Ｓ、一般入賞口１２０Ａ、１２０Ｂへの入賞球を検出する一般入賞センサ１２０ＡＳ、１２０ＢＳが接続されている。
【００９４】
また、主制御部１５０には、出力系として、遊技情報や遊技状態をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００９５】
演出制御部１５２には、入力系として、前記操作ボタン５０が接続されている。また、演出制御部１５２には、出力系として、前記電飾装置１２２のＬＥＤチップ１２２Ａ、並びにパチンコ機１０の各種遊技部品に設けられた照明演出用の光源１３７、スピーカ６０（６０Ｌ、６０Ｃ、６０Ｒ、６０Ｕ）が接続されている。
【００９６】
さらに、演出制御部１５２には、図柄制御部１５６を介して表示部１０６が接続されている。
【００９７】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００９８】
さらに、払出制御部１５４では、枠用外部端子１９１を介して払出情報をホールに設置されたホールコンピュータ（図示省略）へ送信するようになっている。
【００９９】
また、主制御部１５０には、振動センサ２００及び磁気センサ２０２Ａ、２０２Ｂ、２０２Ｃからの検出信号に基づいて、不正行為を監視する不正監視制御部２０４が設けられている。磁気センサ２０２Ａ、２０２Ｂ、２０２Ｃは、磁気検出信号管理回路部２０５を介して不正監視制御部２０４に接続されている。
【０１００】
（不正監視制御部２０４の機能）
図６は、不正監視制御部２０４、磁気検出信号管理回路２０５において、磁気センサ２０２Ａ、２０２Ｂ、２０２Ｃを対象とした不正監視制御のための機能ブロック図である。      
【０１０１】
なお、振動センサ２００においては、図示は省略したが、振動状態（強度（振幅）、単位振動回数（周波数）、振動期間等）をパラメータとして、遊技者等が意図的に不正に遊技盤１８を揺らす、或いは叩く等の行為を行っているか否かを監視すればよい。
【０１０２】
図６に示される如く、磁気センサ２０２Ａ、２０２Ｂ、２０２Ｃは、磁気検出信号管理回路部２０５を介して、検出信号受付部２１４に接続されている。検出信号受付部２１４では、磁気センサ２０２Ａ、２０２Ｂ、２０２Ｃで検出した磁気の強度に応じた検出信号を受け付ける。
【０１０３】
磁気検出信号管理回路部２０５の回路構成については後述するが、入力系として、磁気センサ２０２Ａ、２０２Ｂ、２０２Ｃに加え、電動役物の動作信号（ここでは、アタッカーソレノイド１４８の動作信号及び電チューソレノイド１３８の動作信号）が入力されている。一方、磁気検出信号管理回路部２０５の出力系として、アタッカーソレノイド１４８，電チューソレノイド１３８を駆動するための電源線１４８Ｐ、１３８Ｐが接続されている。
【０１０４】
概略として、磁気検出信号管理回路部２０５では、アタッカーソレノイド１４８及び電チューソレノイド１３８を含む電動役物が動作していない間は、磁気センサ２０２Ａ、２０２Ｂ、２０２Ｃによる磁力に基づく異常レベル磁気検出信号（Ｈ信号）或いは磁気未検出信号（Ｌ信号）は、入力源である検出信号受付部２１４へ送出されるようになっている。一方、磁気検出信号管理回路部２０５では、アタッカーソレノイド１４８及び電チューソレノイド１３８を含む電動役物が動作している間は、異常レベルの磁力が発生していても、磁気未検出信号（Ｌ信号）が検出信号受付部２１４へ送出されるようになっている。
【０１０５】
検出信号受付部２１４は、信号判定部２１５に接続されている。本実施の形態では、磁気センサ２０２Ｃ自体が、異常とされる磁力を受けたときと、そうでないときのデジタル情報（二値信号「Ｈ／Ｌ信号」）を出力する構成となっており（図７参照）、信号判定部２１５では、当該検出信号がＨ信号かＬ信号かを判定する。
【０１０６】
信号判定部２１５における判定結果は、異常信号出力部２２２に送出されるようになっている。
【０１０７】
なお、本実施の形態では、磁気センサ２０２Ｃの出力信号をデジタル情報（二値信号「Ｈ／Ｌ信号」）としたが、磁気検出信号をアナログ情報（例えば、電圧値等）とし、その強度をしきい値と比較して、異常か否かを判定するようにしてもよい。
【０１０８】
異常信号出力部２２２は、盤用外部端子１９０及び報知デバイス２２６（表示部１０６、光源１３７、スピーカ６０等）に接続され、それぞれに対し、異常を報知する信号を出力する。例えば、盤用外部端子１９０へホストコンピュータで解読可能な異常信号を出力する。また、表示部１０６へ画像表現による異常信号を出力する。光源１３７へ点灯表現による異常信号を出力する。スピーカ６０へ音声表現による異常信号を出力する。なお、異常信号の出力先は一つでもよいし、２以上を併用してもよい。
【０１０９】
図７は、磁気検出信号管理回路部２０５の詳細な回路構成を示す回路図である。
【０１１０】
磁気検出信号管理回路部２０５は、アタッカーソレノイド１４８及び電チューソレノイド１３８を通電する第１の回路と、磁気検出センサ２０２Ａ、２０２Ｂ、２０２Ｃによる磁気に関する検出信号を前記不正監視制御部２０４へ送出するための第２の回路を備えている。
【０１１１】
磁気検出センサ２０２Ａ、２０２Ｂ、２０２Ｃの基本的な回路構成は同一であり、かつ互いに並列接続されているので、以下では、同一符号を用いて、磁気検出センサ２０２Ａ、２０２Ｂ、２０２Ｃの回路構成を説明する。
【０１１２】
磁気検出センサ２０２Ａ、２０２Ｂ、２０２Ｃは、ＮＰＮ型トランジスタ２３０（以下、「ＴＲ２３０」という）を備え、そのベース（Ｂ）には、磁力を受けたときにＬ信号を発し、磁力を受けていないときにＨ信号を発するようにＤＣ電源が供給されている。また、ＴＲ２３０のコレクタ（Ｃ）には、抵抗２３２を介してＤＣ電源線２３４が接続され、エミッタ（Ｅ）には、接地線（アース線）２３６を介して接地されている。
【０１１３】
また、ＴＲ２３０のコレクタは、ダイオード２３５、信号線２３７を介して不正監視制御部２０４に接続されている。信号線２３７は、ＤＣ電源線２３４、抵抗２３２と共に第２の回路に属する。
【０１１４】
ＴＲ２３０では、ベースが磁力を受けていない状態（Ｈ信号）では、コレクタ−エミッタ間がオンとなり、ＤＣ電源から抵抗２３２を介してＴＲ２３０のコレクタ−エミッタ間に電流が流れる。このため、不正監視制御部２０４には、Ｌ信号が送出される。このＬ信号は、磁気未検出を意味する。
【０１１５】
また、ＴＲ２３０では、ベースが磁力を受けた状態（Ｌ信号）では、コレクタ−エミッタ間がオフとなり、ＤＣ電源から、抵抗２３２、信号線２３７を介して、不正監視制御部２０４に電流が流れる。このため、不正監視制御部２０４には、Ｈ信号が送出される。これは、磁気検出を意味する。
【０１１６】
一方、磁気検出回路管理回路部２０５では、アタッカーソレノイド１４８及び電チューソレノイド１３８を駆動制御するための回路（第１の回路）が設けられている。
【０１１７】
第１の回路において、アタッカー１１２の開閉扉１１６を開閉するための動作信号（アタッカー開閉信号）は、動作信号線２３９ＡＳによりＮチャネル接合型ＦＥＴ２３８ＡＳ（以下、「ＦＥＴ２３８ＡＳ」という）のゲート（Ｇ）に入力されている。また、ＦＥＴ２３８ＡＳのソース（Ｓ）は接地され、カソード側はアタッカーソレノイド１４８のマイナス側端子に接続されている。なお、ＦＥＴ２３８ＡＳは、第１の回路に属する。
【０１１８】
また、第１の回路において、電動チューリップ１３６を開閉するための動作信号（電チュー開閉信号）は、動作信号線２３９ＤＳによりＮチャネル接合型ＦＥＴ２３８ＤＳ（以下、「ＦＥＴ２３８ＤＳ」という）のゲート（Ｇ）に入力されている。また、ＦＥＴ２３８ＤＳのソース（Ｓ）は接地され、カソード側はアタッカーソレノイド１４８のマイナス側端子に接続されている。なお、ＦＥＴ２３８ＤＳは、第１の回路に属する。
【０１１９】
アタッカーソレノイド１４８、電チューソレノイド１３８のプラス側端子には、それぞれ電源線２３４を介してＤＣ電源が接続されている。
【０１２０】
上記構成の第１の回路では、動作信号がＦＥＴ２３８ＡＳのゲートに入力されると、ドレイン−ソース間がオンとなり、ＤＣ電源がアタッカーソレノイド１４８を通電し、開閉扉１１６が開放する。
【０１２１】
また、動作信号がＦＥＴ２３８ＤＳのゲートに入力されると、ドレイン−ソース間がオンとなり、ＤＣ電源が電チューソレノイド１３８を通電し、電動チューリップ１３６が開放する。
【０１２２】
ここで、前記第２の回路における、抵抗２３２と不正監視制御部２０４との間の信号線２３７は、ダイオード２４０ＡＳのアノード側に接続され、ダイオード２４０ＡＳのカソード側がＦＥＴ２３８ＡＳのドレイン（Ｄ）に接続されている。ダイオード２４０ＡＳ及びその前後の迂回線２４１ＡＳは、第１の回路と第２の回路を連携するための第３の回路に属する。
【０１２３】
また、前記第２の回路における、抵抗２３２と不正監視制御部２０４との間の信号線２３７は、ダイオード２４０ＤＳのアノード側に接続され、ダイオード２４０ＤＳのカソード側がＦＥＴ２３８ＤＳのドレイン（Ｄ）に接続されている。ダイオード２４０ＤＳ及びその前後の迂回線２４１ＤＳは、第１の回路と第２の回路を連携するための第３の回路に属する。
【０１２４】
従って、ＦＥＴ２３８ＡＳがオンのとき、信号線２３７を流れる信号（主としてＨ信号）は、ダイオード２４０ＡＳを介して、ＦＥＴ２３８ＡＳへ流れる。言い換えれば、Ｈ信号が不正監視制御部２０４へ送出されないことになる。また、ＦＥＴ２３８ＤＳがオンのとき、信号線２３７を流れる信号（主としてＨ信号）は、ダイオード２４０ＤＳを介して、ＦＥＴ２３８ＤＳへ流れる。言い換えれば、Ｈ信号が不正監視制御部２０４へ送出されないことになる。
【０１２５】
すなわち、第１の回路と第２の回路とが連携され、アタッカーソレノイド１４８がオン（開閉扉１１６の開放）、或いは電チューソレノイド１３８がオン（電動チューリップ１３６の開放）のとき、磁気センサ２０２Ａ、２０２Ｂ、２０２Ｃの検出信号がＦＥＴ２３８ＡＳ又はＦＥＴ２３８ＤＳへ迂回され、キャンセルされるようになっている。
【０１２６】
以下に本実施の形態の作用を説明する。
【０１２７】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の略円形の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【０１２８】
（本実施の形態に係る遊技仕様）
本実施の形態では、所謂「左打ち」による遊技が基本（基本遊技）となる。すなわち、表示部１０６を境界として、遊技盤１８の左側を通るように遊技球ＰＢの発射強度を調整することで、風車や釘等の障害物に当接しながら、特別図柄始動入賞口（Ａ）１３０へ遊技球を導いていき、入賞すると特別図柄抽選が実行される。
【０１２９】
特別図柄抽選は、表示部１０６にて実行される図柄変動パターン演出によって、遊技者に対し抽選結果の報知が実行される。図柄変動パターン演出は、主制御部１５０からの指示信号等に基づき、図柄変動パターン選択テーブルから図柄変動パターン種が選択されて実行される。
【０１３０】
特別図柄抽選に当選すると、アタッカー１１２の開閉扉１１６が、所定時間、所定回数開放して、遊技球の入賞を通常遊技状態よりも飛躍的に高める大役処理が実行される。
【０１３１】
大役処理は、上記基本遊技とは別に、所謂「右打ち」による遊技となる。
【０１３２】
すなわち、表示部１０６を境界として、遊技盤１８の右側を通るように遊技球ＰＢの発射強度を調整することで、風車や釘等の障害物に当接しながら、アタッカー１１２へ遊技球を導いていく。
【０１３３】
次に、大役処理が終了すると、前記左打ちに戻る場合と、右打ちを継続する場合とがある。右打ちの継続された場合、特別図柄始動入賞口（Ｂ）１３４へ遊技球を導いていく。このとき、時短状態となっており、遊技球ＰＢが通過ゲート１１８を通過すると普通図柄抽選が時短状態で実行され、当選（例えば、当選確率１／１．１）となれば電動チューリップ１３６が頻繁に開放され、特別図柄始動入賞口（Ｂ）１３４への入賞が可能となる。遊技球ＰＢがこの特別図柄始動入賞口（Ｂ）１３４に入賞すると、特別図柄始動入賞口（Ａ）１３０と同様に特別図柄抽選が実行される。
【０１３４】
ここで、上記遊技仕様を実行するプログラムは、主制御部１５０の記憶部（例えば、ＲＯＭ）に記憶され、当該プログラムが実行される。また、主制御部１５０では、電チューソレノイド１３８の動作、アタッカーソレノイド１４８の動作、並びに、ガイドランプユニットの点灯制御が実行される。
【０１３５】
さらに、演出制御部１５２では、図柄制御部１５６を介して表示部１０６の表示制御を含み、聴覚や視覚を通じた演出が実行され、払出制御部１５４では遊技球ＰＢの払い出し制御が実行される。
【０１３６】
以下、図８のフローチャートに従い、本実施の形態に係る、磁気センサ２０２Ａ、２０２Ｂ、２０２Ｃによる不正監視制御ルーチンを説明する。
【０１３７】
ステップ２５０では、磁気センサ２０２Ａ、２０２Ｂ、２０２Ｃからの検出信号を取り込む。次のステップ２５２では、検出信号の種類、すなわち、異常信号であるＨ信号か、正常（非異常）信号であるＬ信号かを判別する。
【０１３８】
次のステップ２５４では、検出信号がＨ信号か否かが判断され、否定判定された場合は、不正行為はないと判断し、このルーチンは終了する。
【０１３９】
一方、ステップ２５４で肯定判定された場合は、不正行為の可能性があると判断し、ステップ２５８へ移行して異常信号を出力し、このルーチンは終了する。
【０１４０】
ここで、本実施の形態では、上記不正監視制御部２０４において、検出信号受付部２１４で受け付けた検出信号に基づいて、不正の有無を判定する前に、磁気検出信号管理回路部２０５において、検出信号受付部２１４で受け付ける検出信号を管理している。
【０１４１】
すなわち、アタッカーソレノイド１４８や電チューソレノイド１３８等の電動役物が励磁された場合でも、磁気センサ２０２Ａ、２０２Ｂ、２０２Ｃは異常に相当する磁気を検出するため、異常信号（Ｈ信号）が出力されることになる。
【０１４２】
このため、磁気検出信号管理回路部２０５では、アタッカーソレノイド１４８や電チューソレイド１３８等の電動役物への通電中は、検出信号が検出信号受付部２１４へ送出されることを回避するようにした。
【０１４３】
図７に基づき、アタッカーソレノイド１４８へ非通電時、通電時の検出信号の流れを説明する。
【０１４４】
（磁気センサ２０２Ａ）
磁気センサ２０２Ａの動作を説明する。
【０１４５】
磁気センサ２０２Ａで予め定めた磁気を検出していない場合は、ＴＲ２３０のベースにＨ信号が入力され、ＴＲ２３０のコレクタ−エミッタ間がオンとなり、電源線２３４−抵抗２３２−ＴＲ２３０−接地というルートが導通状態となって電流が流れ、検出信号受付部２１４には、Ｌ信号（正常な検出信号）が送出される。
【０１４６】
一方、磁気センサ２０２Ａで予め定めた磁気を検出した場合は、ＴＲ２３０のベースにＬ信号が入力され、ＴＲ２３０のコレクタ−エミッタ間がオフとなり、電源線２３４−抵抗２３２−ＴＲ２３０−接地というルートが非導通状態となって電流が流れず、検出信号受付部２１４には、Ｈ信号（異常な検出信号「異常信号」）が送出される。
【０１４７】
（磁気センサ２０２Ｂ）
磁気センサ２０２Ｂの動作を説明する。
【０１４８】
磁気センサ２０２Ｂで予め定めた磁気を検出していない場合は、ＴＲ２３０のベースにＨ信号が入力され、ＴＲ２３０のコレクタ−エミッタ間がオンとなり、電源線２３４−抵抗２３２−ＴＲ２３０−接地というルートが導通状態となって電流が流れ、検出信号受付部２１４には、Ｌ信号（正常な検出信号）が送出される。
【０１４９】
一方、磁気センサ２０２Ｂで予め定めた磁気を検出した場合は、ＴＲ２３０のベースにＬ信号が入力され、ＴＲ２３０のコレクタ−エミッタ間がオフとなり、電源線２３４−抵抗２３２−ＴＲ２３０−接地というルートが非導通状態となって電流が流れず、検出信号受付部２１４には、Ｈ信号（異常な検出信号「異常信号」）が送出される。
【０１５０】
（磁気センサ２０２Ｃ）
磁気センサ２０２Ｃの動作を説明する。
【０１５１】
磁気センサ２０２Ｃで予め定めた磁気を検出していない場合は、ＴＲ２３０のベースにＨ信号が入力され、ＴＲ２３０のコレクタ−エミッタ間がオンとなり、電源線２３４−抵抗２３２−ＴＲ２３０−接地というルートが導通状態となって電流が流れ、検出信号受付部２１４には、Ｌ信号（正常な検出信号）が送出される。
【０１５２】
一方、磁気センサ２０２Ｃで予め定めた磁気を検出した場合は、ＴＲ２３０のベースにＬ信号が入力され、ＴＲ２３０のコレクタ−エミッタ間がオフとなり、電源線２３４−抵抗２３２−ＴＲ２３０−接地というルートが非導通状態となって電流が流れず、検出信号受付部２１４には、Ｈ信号（異常な検出信号「異常信号」）が送出される。
【０１５３】
すなわち、磁気センサ２０２Ａ、２０２Ｂ、２０２Ｃはそれぞれ独立して同一の動作が実行される。
【０１５４】
（アタッカーソレノイド１４８の動作に基づく異常信号の取扱い）
次に、アタッカーソレノイド１４８の状態に応じた異常信号の取扱いについて説明する。
【０１５５】
アタッカーソレノイド１４８へ非通電時、すなわち、動作信号がＬ信号の場合は、ＦＥＴ２３８ＡＳのゲートにＬ信号が入力されるため、ドレイン−ソース間はオフとなる。この結果、電源線２３４−抵抗２３２−ダイオード２４０ＡＳ−ＦＥＴ２４０ＡＳ−接地というルートが非導通状態となる。
【０１５６】
このため、磁気センサ２０２Ａ、２０２Ｂ、２０２Ｃから送出される検出信号は、信号線２３７を介して検出信号受付部２１４へ到達させることができる。
【０１５７】
一方、アタッカーソレノイド１４８へ通電時、すなわち、動作信号がＨ信号の場合は、ＦＥＴ２３８ＡＳのゲートにＨ信号が入力されるため、ドレイン−ソース間はオンとなる。この結果、電源線２３４−抵抗２３２−ダイオード２４０ＡＳ−ＦＥＴ２４０ＡＳ−接地というルートが導通状態となる。
【０１５８】
このため、磁気センサ２０２Ｃから送出される検出信号は、信号線２３７−ダイオード２４０ＡＳ−ＦＥＴ２３８ＡＳと案内され、検出信号受付部２１４へ到達せず、検出信号受付部２１４へは、常に、正常と同等の信号（Ｌ信号）が送出される。
【０１５９】
（電チューソレノイド１３８の動作に基づく異常信号の取扱い）
一方、電チューソレノイド１３８の状態に応じた異常信号の取扱いについて説明する。
【０１６０】
電チューソレノイド１３８へ非通電時、すなわち、動作信号がＬ信号の場合は、ＦＥＴ２３８ＤＳのゲートにＬ信号が入力されるため、ドレイン−ソース間はオフとなる。この結果、電源線２３４−抵抗２３２−ダイオード２４０ＤＳ−ＦＥＴ２４０ＤＳ−接地というルートが非導通状態となる。
【０１６１】
このため、磁気センサ２０２Ａ、２０２Ｂ、２０２Ｃから送出される検出信号は、信号線２３７を介して検出信号受付部２１４へ到達させることができる。
【０１６２】
一方、電チューソレノイド１３８へ通電時、すなわち、動作信号がＨ信号の場合は、ＦＥＴ２３８ＤＳのゲートにＨ信号が入力されるため、ドレイン−ソース間はオンとなる。この結果、電源線２３４−抵抗２３２−ダイオード２４０ＤＳ−ＦＥＴ２４０ＤＳ−接地というルートが導通状態となる。
【０１６３】
このため、磁気センサ２０２Ｃから送出される検出信号は、信号線２３７−ダイオード２４０ＤＳ−ＦＥＴ２３８ＤＳと案内され、検出信号受付部２１４へ到達せず、検出信号受付部２１４へは、常に、正常と同等の信号（Ｌ信号）が送出される。
【０１６４】
本実施の形態によれば、アタッカーソレノイド１４８又は電チューソレノイド１３８の動作により発生する磁力を、磁気センサ２０２Ａ、２０２Ｂ、２０２Ｃで検出しても、不正監視制御部２０４の上流側に配置した、磁気検出信号管理回路部２０５における、第１の回路と第２の回路との連携に基づき、検出信号の流れを迂回させ、異常と判断しないようにしたため、電動役物（アタッカー１１２、特別図柄始動入賞口（Ｂ）１３４等）と磁気センサ２０２Ａ、２０２Ｂ、２０２Ｃとの相対位置関係を考慮せずに配置可能であり、設計の自由度を増すことができる。
【０１６５】
なお、実施の形態では、電動役物として、アタッカー１１２、特別図柄始動入賞口（Ｂ）１３４を挙げ、その駆動源であるアタッカーソレノイド１４８又は電チューソレノイド１３８の何れかが駆動しているとき、全ての磁気センサ２０２Ａ、２０２Ｂ、２０２Ｃからの異常レベルの磁力検出（Ｈ信号）が不正監視制御部２０４へ送出されるのを禁止（キャンセル）するようにしたが、他の磁力を用いた駆動源、例えば、図２に示す可動役物装置１０５Ａ、１０５Ｂを動作させる駆動源が駆動しているときにおいても、全ての磁気センサ２０２Ａ、２０２Ｂ、２０２Ｃからの異常レベルの磁力検出（Ｈ信号）が不正監視制御部２０４へ送出されるのを禁止（キャンセル）するようにしてもよい。
【０１６６】
さらに、図２の右側の可動役物装置１０５Ｂに一部が重なるように設けられた矢印形状の役物装置が可動部の場合、当該矢印形状の役物装置の駆動源が駆動しているときにおいても、全ての磁気センサ２０２Ａ、２０２Ｂ、２０２Ｃからの異常レベルの磁力検出（Ｈ信号）が不正監視制御部２０４へ送出されるのを禁止（キャンセル）するようにしてもよい。
【０１６７】
（変形例）
また、上記実施の形態では、全ての駆動部（数量Ｎ）の何れかが駆動している場合に、全ての磁気センサ（数量Ｓ）の検出能力を遮断する構成（Ｎ：Ｓ＝複数：複数）としているが、駆動部Ｎと磁気センサＳとの数量の比率をＮ：Ｓ＝１：１、Ｎ：Ｓ＝１：複数、Ｎ：Ｓ複数：１のように、グループ分けしてもよい。
【０１６８】
さらに、１つのグループに限定せず、複数のグループに跨るようにグループ分けしてもよい。
【０１６９】
例えば、図９に示される如く、センサＡ、Ｂ、Ｃ、Ｄと磁力を利用した駆動源（ここでは、「ソレノイド」とする。）１，２，３、４が存在する場合、以下のパターンを想定する。
（パターン１）ソレノイド１の駆動状態は、センサＡに影響を及ぼす。
（パターン２）ソレノイド２の駆動状態は、センサＡ，Ｂ，Ｃ，Ｄに影響を及ぼす。
（パターン３）ソレノイド３の駆動状態は、センサＡ，Ｃに影響を及ぼす。
（パターン４）ソレノイド４の駆動状態は、センサＡ，Ｃ，Ｄに影響を及ぼす。
【０１７０】
以上のパターンを考慮して、グループ分けすることで、不正監視の精度を向上できると共に、誤検知防止の精度を高めることができる。なお、パターンの想定は図９に限らず、遊技盤１８の部品配置によって設定し、当該設定した想定パターンに基づいて、センサをグループ分けすればよい。
【符号の説明】
【０１７１】
１０    パチンコ機（遊技機）
１８    遊技盤
６０    スピーカ（報知手段）
１０５    センター役物
１０６    表示部（報知手段）
１１２    アタッカー
１１２Ｓ    アタッカーセンサ
１１６    開閉扉（可動部）
１３０    特別図柄始動入賞口（Ａ）
１３０Ｓ    特図Ａ始動口センサ
１３４    特別図柄始動入賞口（Ｂ）
１３４Ｓ    特図Ｂ始動口センサ
１３６    電動チューリップ（可動部）
１３７    光源（報知手段）
１３８    電チューソレノイド（駆動部）
１４８    アタッカーソレノイド（駆動部）
１４８Ａ    アクチュエータ
１５０    主制御部
１５２    演出制御部
１５４    払出制御部
２００    振動センサ
２０２Ａ、２０２Ｂ、２０２Ｃ    磁気センサ
２０４    不正監視制御部（監視手段）
２０５    磁気検出信号管理回路
２１４    検出信号受付部
１４８Ｐ、１３８Ｐ    電源線
２１５    信号判定部
２２２    異常信号出力部
２２６    報知デバイス
２３０    ＮＰＮ型トランジスタ２３０（ＴＲ２３０）
２３２    抵抗２３２
２３４    ＤＣ電源線
２３５    ダイオード
２３７    信号線
２３９ＡＳ    動作信号線
２３９ＤＳ    動作信号線
２３８ＡＳ    Ｎチャネル接合型ＦＥＴ（ＦＥＴ２３８ＡＳ）
２３８ＤＳ    Ｎチャネル接合型ＦＥＴ（ＦＥＴ２３８ＤＳ）
２４０ＡＳ    ダイオード
２４０ＤＳ    ダイオード
２４１ＡＳ    迂回線
２４１ＤＳ    迂回線
【図１】
2014057741.tif 000003
【図２】
2014057741.tif 000004
【図３】
2014057741.tif 000005
【図４】
2014057741.tif 000006
【図５】
2014057741.tif 000007
【図６】
2014057741.tif 000008
【図７】
2014057741.tif 000009
【図８】
2014057741.tif 000010
【図９】
2014057741.tif 000011